(57)【特許請求の範囲】
【請求項１】
弁ケーシングで入口と弁室と出口を形成し、前記弁室を前記出口側に連通する排出通路を有する弁座部材を取り付け、前記弁室内に前記弁座部材に離着座して前記排出通路を開閉する弁部材を配置し、掃除部材を前記排出通路内に配置し、前記掃除部材の先端を前記弁ケーシングから突出させて前記弁ケーシングに進退調節可能にねじ結合し、前記掃除部材を外部から前記弁ケーシングに対してねじ込むことにより前記排出通路の内面に付着した異物を掃除するものにおいて、前記弁ケーシングの外表面に温度表示器を取付け、前記温度表示器が、前記弁ケーシングの外表面に取付けられるケースと、前記ケース内に収容され前記弁ケーシング内の温度変化により収縮あるいは伸張する温度応動部材と、前記温度応動部材に取付けられ前記温度応動部材の収縮あるいは伸張により前記ケースの軸心方向に変位する可動部材と、前記可動部材の一端側に取付けられ所定温度以下になると前記ケースから突出する低温表示部とを具備し、前記ケースの先端が、ねじ戻され前記弁ケーシングから突出するあるいは突出している状態の前記掃除部材の先端と同じ突出位置に位置合わせされていることを特徴とするスチームトラップ。
【発明の詳細な説明】
【技術分野】
【０００１】
本発明は、蒸気配管系に発生するドレンを自動的に排出するスチームトラップに関し、特に弁部材が離着座して開閉する弁座部材の排出通路の内面に付着した流体中の異物を掃除できるものに関する。
【背景技術】
【０００２】
従来のスチームトラップは、例えば特許文献１に開示されている。ここに開示されたスチームトラップは、弁ケーシングで入口と弁室と出口を形成し、弁室を出口側に連通する排出通路を有する弁座部材を取り付け、弁室内に弁座部材に離着座して排出通路を開閉する弁部材を配置し、掃除部材を排出通路内に配置し、掃除部材の先端を弁ケーシングから突出させて弁ケーシングに進退調節可能にねじ結合し、掃除部材を外部から弁ケーシングに対してねじ込むことにより排出通路の内面に付着した異物を掃除するものである。
【先行技術文献】
【特許文献】
【０００３】
【特許文献１】特開２００７−１０７６４３
【発明の概要】
【発明が解決しようとする課題】
【０００４】
上記従来のスチームトラップは、掃除部材を外部から弁ケーシングに対してねじ込むことにより排出通路の内面に付着した異物を掃除できるものであるが、異物が付着しているか否かを外部から確認できないために、掃除の時期が遅れたり不必要に掃除したりする問題点があった。また、異物を掃除した後、元の位置に掃除部材をねじ戻すのを怠ると弁部材が弁座部材に着座できなくなって蒸気を漏出したりドレンの排出が妨げられて排出流量が低下したりする問題点があった。
【０００５】
したがって本発明が解決しようとする課題は、排出通路の内面に異物が付着しているか否かを及び掃除部材がねじ戻されているか否かを外部から確認できるスチームトラップを提供することである。
【課題を解決するための手段】
【０００６】
上記の課題を解決するために、本発明のスチームトラップは、弁ケーシングで入口と弁室と出口を形成し、弁室を出口側に連通する排出通路を有する弁座部材を取り付け、弁室内に弁座部材に離着座して排出通路を開閉する弁部材を配置し、掃除部材を排出通路内に配置し、掃除部材の先端を弁ケーシングから突出させて弁ケーシングに進退調節可能にねじ結合し、掃除部材を外部から弁ケーシングに対してねじ込むことにより排出通路の内面に付着した異物を掃除するものにおいて、弁ケーシングの外表面に温度表示器を取付け、温度表示器が、弁ケーシングの外表面に取付けられるケースと、ケース内に収容され弁ケーシング内の温度変化により収縮あるいは伸張する温度応動部材と、温度応動部材に取付けられ温度応動部材の収縮あるいは伸張によりケースの軸心方向に変位する可動部材と、可動部材の一端側に取付けられ所定温度以下になるとケースから突出する低温表示部とを具備し、所定温度以下になると低温表示部が突出するケースの先端がねじ戻され弁ケーシングから突出する掃除部材の先端と同じ突出位置に位置合わせされていることを特徴とするものである。
【発明の効果】
【０００７】
本発明によれば、スチームトラップの弁ケーシングの外表面に取付けた温度表示器の低温表示部が弁ケーシングから突出することを確認することにより、排出通路の内面に異物が付着していることを外部から確認できるという優れた効果を生じる。この場合、掃除部材を外部から弁ケーシングに対してねじ込むことにより排出通路の内面に付着した異物を掃除する。そして、弁ケーシングから突出する掃除部材の先端が所定温度以下になると低温表示部が突出するケースの先端と同じ突出位置となるように掃除部材をねじ戻す。この場合、掃除部材の先端がケースの先端と同じ突出位置までねじ戻されていなければ掃除部材がねじ戻されていないことを外部から確認できるという優れた効果を生じる。
【図面の簡単な説明】
【０００８】
【図１】本発明の実施の形態に係わるスチームトラップの断面図である。
【発明を実施するための形態】
【０００９】
以下、本発明の実施の形態について、図１を参照して説明する。本体１に蓋２をボルト３で締結して弁ケーシング形成し、内部に弁室４を形成する。本体１は入口５と出口通路６と出口７を有し、入口５は弁室４の上部に連通する。入口５と出口７は水平方向に同一軸上に形成する。弁室４の下部の蓋２に排出通路８を開けた弁座部材９をねじ結合する。排出通路８は弁室４側端の小径の先端部と、先端部の下流の下流に向かって径の拡がったテーパー部と、テーパー部の下流の大径の後端部から成る。蓋２は出口通路１０を有し、弁室４の下部は排出通路８から出口通路１０，６を介して出口７に連通する。弁室４内に弁座部材９の弁室側端面に離着座して排出通路８を開閉する弁部材としての中空球形のフロート１１を自由状態で配置する。フロート１１が排出通路８を閉じた位置で当接するフロート座１２をフロート１１の下方に、図面の手前側と向う側に２つ設ける。
【００１０】
蓋２に弁座部材９と同一軸上にプラグ１３をねじ結合する。プラグ１３に外部から進退調節可能に掃除部材１４をねじ結合する。掃除部材１４はプラグ１３を貫通し、排出通路８の先端部の下流に位置する内端部が前進により弁室４内に突出し、先端部が外部に位置する。プラグ１３と掃除部材１４の間に掃除部材１４の気密を保つシール部材としてのパッキング１５を配置し、プラグ１３にパッキング押え１６をねじ結合してプラグ１３と掃除部材１４の間の気密を保つ。掃除部材１４の内端部の外径は排出通路８の先端部の内径よりも僅かに小径に形成し、掃除部材１４を前進させたときに掃除部材１４の先端部で排出通路８の先端部内面を掃除する。
【００１１】
蓋２の外表面に温度表示器３１を例えば接着テープ（図示せず）で取付ける。温度表示器３１のケース３２はそれぞれ外形が概略四角柱で内形が円筒状の上本体３３と下本体３４とから形成し、上本体３３の下端部を下本体３４の上端部に圧入して固定する。上本体３３と下本体３４は熱伝導率の高いアルミニウムで形成する。上本体３３と下本体３４はそれぞれ外形を概略三角形や六角形等の多角形に形成したり円筒形に形成したりしてもよい。上本体３３は中心に貫通孔３５を開けた隔壁３６を一体に有し、下本体３４は中心に貫通孔３７を開けた隔壁３８を一体に有する。ケース３２内に貫通孔３５と貫通孔３７を貫通して可動部材３９を配置する。可動部材３９は貫通孔３５と貫通孔３７に案内されてケース３２の軸心方向に摺動変位する。下本体３４の隔壁３８にバイメタルから成る温度応動部材４０の一端（下端）側を溶接して取付ける。可動部材３９のほぼ中央部に温度応動部材４０の他端（上端）側を溶接して取付ける。可動部材の３９の一端（下端）側に断面がコの字状の低温表示部４１を止ねじ４２で取付け、可動部材９の他端（上端）側に断面がコの字状の高温表示部４３を止ねじ４４で取付ける。所定温度以下になると低温表示部４１が突出するケース３２の先端（下端）を蓋２から突出するねじ戻された掃除部材１４の先端（下端）と同じ突出位置に位置合わせして蓋２の外表面に温度表示器３１を取付ける。
【００１２】
バイメタルは熱膨張係数の異なる２種類の金属または合金を強固に一体に接着して板状に仕上げたもので、温度変化に応じて湾曲するものであり、本実施例の温度応動部材４０は、短冊状のバイメタル平板を螺旋状に巻いて作ったつる巻き形をもう一度螺旋状に巻いて２重つる巻き形に形成する。最初のつる巻き形のときに内側が低膨張材料に外側が高膨張材料に成るようにする。このつる巻き形の場合、高温になると半径が小さくなり長さが長くなり、低温になるとこれとは逆に作用する。そして、これを用いて作った２重つる巻き形の場合、高温になると半径が小さくなり長さが長くなり、低温になるとこれとは逆に作用する。温度応動部材４０はスチームトラップの温度が低下すると収縮して可動部材３９を下方向に変位させ、スチームトラップの温度が上昇すると伸張して可動部材３９を上方向に変位させる。スチームトラップが蒸気を漏出することなくドレンを自動的に正常に排出していると低温表示部４１と高温表示部４３は共にケース３２内に没入している。これにより、正常であると確認できる。排出通路８の内面に異物が付着してスチームトラップが復水を自動的に排出できなくなると温度応動部材４０が収縮して可動部材３９が下方向に変位し、高温表示部４３はケース３２内に没入しているが、低温表示部４１がケース３２の先端から突出する。これにより、排出通路８の内面に異物が付着していることを外部から確認できる。この場合、掃除部材１４を外部から蓋２に対してねじ込むことにより排出通路８の内面に付着した異物を掃除する。そして、異物を掃除した後、掃除部材１４の先端がケース３２の先端と同じ突出位置となるように掃除部材１４をねじ戻す。スチームトラップが蒸気を漏出すると、温度応動部材４０が伸張して可動部材３９が上方向に変位し、低温表示部４１はケース３２内に没入しているが、高温表示部４３がケース３２から突出する。これにより、蒸気漏出を確認できる。
【００１３】
ドレンは入口５から弁室４内に流入して溜り、液面に応じてフロート１１が浮上降下して弁座部材９に離着座して排出通路８を開閉する。排出通路８が開けられると弁室４内のドレンが排出通路８、出口通路６，１０を通して出口７に排出され、排出通路８が閉じられると弁室４内の蒸気の漏出が防止される。蒸気を漏出することなくドレンを正常に排出していると、低温表示部４１と高温表示部４３は共にケース３２内に没入している。これにより、正常であると確認できる。排出通路８の内面に異物が付着して復水を自動的に排出できなくなると、低温表示部４１がケース３２の先端から突出する。これにより、排出通路８の内面に異物が付着していることを外部から確認できる。この場合、掃除部材１４を外部から蓋２に対してねじ込むことにより排出通路８の内面に付着した異物を掃除する。そして、異物を掃除した後、掃除部材１４の先端がケース３２の先端と同じ突出位置となるように掃除部材１４をねじ戻す。蒸気を漏出すると、高温表示部４３がケース３２から突出する。これにより、蒸気漏出を確認できる。
【産業上の利用可能性】
【００１４】
本発明は、蒸気配管系に発生するドレンを自動的に排出するスチームトラップに利用することができる。
【符号の説明】
【００１５】
１  本体
２  蓋
４  弁室
５  入口
７  出口
８  排出通路
９  弁座部材
１１  フロート
１４  掃除部材
３１  温度表示器
３２  ケース
３９  可動部材
４０  温度応動部材
４１  低温表示部
４８  高温表示部
【図１】
0005620189.tif 000002